(57)【特許請求の範囲】
【請求項１】
通信端末との間で通信回線を通じて暗証番号の受け渡しを行うことにより、電子錠の開制御を行う電子錠制御手段を有する電子錠システムにおいて、
予め設定された回線番号を記憶する回線番号記憶手段と、
予め設定された第１の暗証番号を記憶する第１の暗証番号記憶手段と、
予め用意された複数のルール番号に対応して第２の暗証番号を生成する暗証番号生成手段と、
前記複数のルール番号から１つのルール番号を選択するルール番号選択手段とを備え、
前記電子錠制御手段は、通信端末からの着信時、通信端末から送信されてくる暗証番号を受信すると一旦回線を切断して、その受信した暗証番号と第１の暗証番号記憶手段に記憶されている第１の暗証番号とを比較し、両暗証番号が一致する場合には、回線番号記憶手段に記憶されている回線番号に発信するとともに、ルール番号選択手段により選択された１つのルール番号をその発信した回線番号の通信端末に送信し、かつ選択されたルール番号に対応する第２の暗証番号を暗証番号生成手段にて生成し、この生成した第２の暗証番号と、通信端末から送信されてくる次の暗証番号とを比較し、両暗証番号が一致したときに電子錠の開制御を行うことを特徴とする電子錠システム。
【請求項２】
前記電子錠制御手段は、通信端末から送信されてくる暗証番号と第１の暗証番号記憶手段に記憶されている第１の暗証番号とが一致しない場合、または通信端末から送信されてくる次の暗証番号と暗証番号生成手段で生成された第２の暗証番号とが一致しない場合には、回線番号記憶手段に記憶されている回線番号に対して発信を行うことを特徴とする請求項１に記載の電子錠システム。
【請求項３】
前記通信端末が携帯電話器であることを特徴とする請求項１または２に記載の電子錠システム。
【発明の詳細な説明】
【０００１】
【発明の属する技術分野】
本発明は、通信端末である例えば携帯電話器との間で通信回線を通じて暗証番号の受け渡しを行うことにより、電子錠の開制御を行う電子錠制御手段を有する電子錠システムに関する。
【０００２】
【従来の技術】
近時、住宅の玄関ドアなどに電子錠が取り付けられるようになってきている。
電子錠の開閉については、専用の電子キーを用いて開閉する場合の他、暗証番号等を入力することによって開閉可能となっている。また、最近では、携帯電話器も急速に普及しており、この携帯電話器から自宅の電子錠システムに電話をかけ、暗証番号などを入力することで、電子錠を開けることができるようになっている。
【０００３】
ところで、このような携帯電話器を利用したセキュリティシステムとして、例えば特開平１１−１２０３９８号公報に記載のセキュリティシステムがある。
このセキュリティシステムは、携帯電話器からの発信に応答して、その携帯電話器の電話番号と予め登録されている電話番号とを照合し、この照合から発信者が登録者であるか否かを認証するようになっている。
【０００４】
このセキュリティシステムは、例えば駐車場のゲートの通行を管理するセキュリティシステムに適用されるものであり、住宅の電子錠のようなより高い安全が要求されるものではないため、電話番号の照合のみとなっている。
つまり、より高い安全が要求される住宅の電子錠では、この他にも暗証番号の入力を要求し、入力された暗証番号と予め登録されている暗証番号とが一致したときに初めて、電子錠を開くようになっている。
【０００５】
【発明が解決しようとする課題】
しかしながら、このような従来の電子錠システムでも、その暗証番号を他人に知られてしまうと、誰でも簡単に電子錠が開けられるため、十分なセキュリティ対策とはなっていないのが現状である。
本発明はかかる問題点を解決すべく創案されたもので、その目的は、最初の暗証番号を他人に知られたとしても、電子錠としての安全性を確保できる、より安全性の高い電子錠システムを提供することにある。
【０００８】
【課題を解決するための手段】
上記課題を解決するため、本発明の電子錠システムは、通信端末との間で通信回線を通じて暗証番号の受け渡しを行うことにより、電子錠の開制御を行う電子錠制御手段を有する電子錠システムにおいて、予め設定された回線番号を記憶する回線番号記憶手段と、予め設定された第１の暗証番号を記憶する第１の暗証番号記憶手段と、予め用意された複数のルール番号に対応して第２の暗証番号を生成する暗証番号生成手段と、前記複数のルール番号から１つのルール番号を選択するルール番号選択手段とを備え、前記電子錠制御手段は、通信端末からの着信時、通信端末から送信されてくる暗証番号を受信すると一旦回線を切断して、その受信した暗証番号と第１の暗証番号記憶手段に記憶されている第１の暗証番号とを比較し、両暗証番号が一致する場合には、回線番号記憶手段に記憶されている回線番号に発信するとともに、ルール番号選択手段により選択された１つのルール番号をその発信した回線番号の通信端末に送信し、かつ選択されたルール番号に対応する第２の暗証番号を暗証番号生成手段にて生成し、この生成した第２の暗証番号と、通信端末から送信されてくる次の暗証番号とを比較し、両暗証番号が一致したときに電子錠の開制御を行うことを特徴とする。すなわち、第１の暗証番号を照合後、電子錠システム側から回線番号記憶手段に記憶されている回線番号（電話番号）に対して発信を行って、第２の暗証番号を入力するためのルール番号を送信するように構成している。すなわち、第３者が電話番号の異なる携帯電話器から電子錠システムに発信を行い、正しい第１の暗証番号を入力したとしても、第２の暗証番号を入力するためのルール番号が送られてこないので、その第３者が第２の暗証番号を知っていたとしても、電子錠を開けることができないようになっている。
【０００９】
また、本発明の電子錠システムは、上記構成において、電子錠制御手段は、通信端末から送信されてくる暗証番号と第１の暗証番号記憶手段に記憶されている第１の暗証番号とが一致しない場合、または通信端末から送信されてくる次の暗証番号と暗証番号生成手段で生成された第２の暗証番号とが一致しない場合には、回線番号記憶手段に記憶されている回線番号に対して発信を行うことを特徴とする。このような発信を行うことで、使用者とは異なる悪意の第３者が、異なる通信端末を使用して本電子錠システムを開錠しようとしたことを、いち早く使用者に知らせることができる。また、本発明の電子錠システムは、上記各構成において、通信端末として携帯電話器を利用することを特徴とする。
【００１０】
【発明の実施の形態】
以下、本発明の実施の形態について、図面を参照して説明する。
図１は、本発明の電子錠システムのシステム構成図である。
この電子錠システムは、通信回線（公衆電話回線や専用の通信回線等）Ｌに接続される回線接続部１１を備えており、この回線接続部１１にシステム全体を制御する電子錠制御部１２が接続されている。本実施形態の電子錠システムには固有の電話番号が定められており、その電話番号に基づいて、回線接続部１１と外部の携帯電話器２１との間の無線電話回線の接続／切断が行われるようになっている。
【００１１】
この電子錠制御部１２には、特定の回線番号を記憶する回線番号記憶部１３、特定の第１の暗証番号を記憶する第１の暗証番号記憶部１４、複数のルール番号から１つのルール番号を選択するルール番号選択部１５、および選択されたルール番号に対応して第２の暗証番号を生成する暗証番号生成部１６がそれぞれ双方向に接続されている。
【００１２】
また、電子錠制御部１２には、回線番号記憶部１３に記憶させる回線番号や、第１の暗証番号記憶部１４に記憶させる暗証番号等を入力するためのテンキーや各種機能キーを有するキー入力部１７が接続されており、電子錠制御部１２からは、図示しないドア等に取り付けられた電子錠に対して開制御信号が出力されるようになっている。
上記構成において、電子錠制御部１２、ルール番号選択部１５および暗証番号生成部１６は、コンピュータ上で動作するソフトウエアを含んで構成されている。
【００１３】
ここで、回線番号記憶部１３に記憶させる回線番号は、原則としてこの電子錠システムを使用する使用者の所有する携帯電話器２１の電話番号とする。この電話番号の登録は、キー入力部１７のテンキー等を用いて行われる。
また、第１の暗証番号記憶部１４に記憶させる暗証番号は、使用者が任意に登録できるようになっている。その登録は、キー入力部１７のテンキー等を用いて行われる。登録される第１の暗証番号は、本実施の形態では４桁の暗証番号とし、ここでは一例として「１２３４」とする。ただし、４桁に限る必要はない。
【００１４】
また、本実施の形態では、ルール番号１、ルール番号２、ルール番号３、ルール番号４の４つのルール番号が予め用意されており、ルール番号選択部１５は、この４つのルール番号の中から適当な１つのルール番号を選択するようになっている。選択する方法は、本実施の形態では、乱数をふって決めている。
暗証番号生成部１６は、選択されたルール番号に対応して第２の暗証番号を生成するブロックであり、暗証番号生成プログラムに従って、上記の４つのルール番号のそれぞれに対応した第２の暗証番号を生成する。
【００１５】
ここで、第１の暗証番号が上記の「１２３４」である場合、各ルール番号が選択された場合には、次のようにして第２の暗証番号を生成する。
ルール番号１：（第１の暗証番号）（１＋２＋３＋４）＝１２３４１０
ルール番号２：（１＋２＋３＋４）（第１の暗証番号）＝１０１２３４
ルール番号３：（第１の暗証番号）（１＋２）（３＋４）＝１２３４３７
ルール番号４：（１＋２）（３＋４）（第１の暗証番号）＝３７１２３４
【００１６】
すなわち、ルール番号１では、第１の暗証番号の後に、その第１の暗証番号の全ての数字を単純に加算した数字（１桁の場合には前に０を付けて２桁とする）を付加して、６桁の第２の暗証番号を生成する。
また、ルール番号２では、第１の暗証番号の前に、その第１の暗証番号の全ての数字を単純に加算した数字（１桁の場合には前に０を付けて２桁とする）を付加して、６桁の第２の暗証番号を生成する。
【００１７】
また、ルール番号３では、第１の暗証番号の後に、その第１の暗証番号の前２桁の数字を単純に加算した数字（加算後の数字が２桁になる場合には１桁目の数字のみ）と、後ろ２桁の数字を単純に加算した数字（加算後の数字が２桁になる場合には１桁目の数字のみ）とを付加して、６桁の第２の暗証番号を生成する。
また、ルール番号４では、第１の暗証番号の前に、その第１の暗証番号の前２桁の数字を単純に加算した数字（加算後の数字が２桁になる場合には１桁目の数字のみ）と、後ろ２桁の数字を単純に加算した数字（加算後の数字が２桁になる場合には１桁目の数字のみ）とを付加して、６桁の第２の暗証番号を生成する。
【００１８】
なお、上記４つのルールは、携帯電話器２１を使用する使用者が覚えやすいように、第１の暗証番号のみを用いてこれを適宜加工することで第２の暗証番号を生成できるように決めているが、必ずしも第１の暗証番号のみを用いて第２の暗証番号を生成する必要はない。例えば、第１の暗証番号と、この第１の暗証番号と全く関係の無い数字の組み合わせによって６桁の第２の暗証番号を生成するようにしてもよい。また、６桁に限る必要もなく、第１の暗証番号と同様の４桁等であってもよい。ただし、セキュリティの面から言えば、桁数が多い程セキュリティが高いと言えるので、使用者が覚えられる範囲内において桁数を任意に増やすことは可能である。
【００１９】
次に、上記構成の電子錠システムにおいて、外出先等から携帯電話器２１を使用して電子錠を開制御する場合の処理動作について、図２ないし図４に示すフローチャートを参照して説明する。ただし、図２は第１の処理動作に対応した携帯電話器および電子錠システムのフローチャート、図３は第２の処理動作に対応した携帯電話器および電子錠システムのフローチャート、図４は第３の処理動作に対応した携帯電話器および電子錠システムのフローチャートである。以下、各処理動作に分けて説明する。ただし、回線番号記憶部１３には、すでに対応する携帯電話器２１の電話番号（例えば、「９８７−６５４３」）が記憶されており、第１の暗証番号記憶部１４には、第１の暗証番号「１２３４」が記憶されているものとする。
【００２０】
［第１の処理動作］
使用者が、電子錠を開けるために、携帯電話器２１から電子錠システムの電話番号を入力して発信を行うと（ステップＳ１）、電子錠システムの回線接続部１１は、この着信に応答して（ステップＳ２１でＹｅｓと判断されると）、携帯電話器２１との間で無線電話回線の接続を行い（ステップＳ２２）、一定時間（例えば、１０秒等）の間、携帯電話器２１からの暗証番号の受信待ちとなる（ステップＳ２３、Ｓ２４）。
【００２１】
携帯電話器２１の使用者は、この回線接続を確認すると（ステップＳ２）、第１の暗証番号を入力して発信を行う（ステップ３）。
一方、電子錠システム側では、回線接続後に携帯電話器２１側から送信されてくる暗証番号を受信すると（ステップＳ２３でＹｅｓと判断されると）、この受信した暗証番号と、第１の暗証番号記憶部１４に記憶されている第１の暗証番号とを比較する（ステップＳ２５）。その結果、両暗証番号が一致する場合（ステップＳ２５でＹｅｓと判断された場合）には、次に、ルール番号選択部１５によって、予め決められた４つのルール番号の中から乱数をふって１つのルール番号を選択し（ステップＳ２６）、その選択したルール番号を携帯電話器２１側に送信する（ステップＳ２７）。また、暗証番号生成部１６では、ルール番号選択部１５で選択されたルール番号に対応する第２の暗証番号を生成する（ステップＳ２８）。
【００２２】
具体的には、ルール番号選択部１５により選択されたルールがルール番号１であったとすると、このルール番号１の情報が携帯電話器２１側に送信される。また、暗証番号生成部１６では、このルール番号１を利用して、上記した如く第２の暗証番号を生成する。すなわち、第１の暗証番号である「１２３４」を用いて、（第１の暗証番号）（１＋２＋３＋４）＝１２３４１０のように６桁の第２の暗証番号を生成し、これを図示しない内部メモリに一時記憶する。この後、一定時間（例えば、１０秒等）の間、携帯電話器２１からの暗証番号の受信待ちとなる（ステップＳ２９、Ｓ３０）。
【００２３】
携帯電話器２１側では、電子錠システム側から送信されてきたルール番号１を受信して（ステップＳ４）、表示窓に表示する。携帯電話器２１の使用者は、この表示窓に表示されたルール番号１を見て、このルール番号１に対応する第２の暗証番号を入力し、発信を行う（ステップ５）。
一方、電子錠システム側では、携帯電話器２１側から送信されてくる暗証番号を受信すると（ステップＳ２９でＹｅｓと判断されると）、この受信した暗証番号と、内部に記憶した第２の暗証番号（１２３４１０）とを比較する（ステップＳ３１）。その結果、両暗証番号が一致すると（ステップＳ３１でＹｅｓと判断されると）、電子錠制御部１２は図示しない電子錠に対して開制御信号を出力し、電子錠を開くことになる（ステップＳ３２）。
【００２４】
なお、回線接続後、一定時間（１０秒等）が経過しても携帯電話器２１側から第１の暗証番号が送信されてこなかった場合（ステップＳ２４でＹｅｓと判断された場合）、受信した暗証番号と第１の暗証番号とが一致しなかった場合（ステップＳ２５でＮｏと判断された場合）、ルール番号を送信後、一定時間（１０秒等）が経過しても携帯電話器２１側から第２の暗証番号が送信されてこなかった場合（ステップＳ３０でＹｅｓと判断された場合）、受信した暗証番号と第２の暗証番号とが一致しなかった場合（ステップＳ３１でＮｏと判断された場合）には、いずれも直ちに回線を切断する（ステップＳ３３）。この後、電子錠制御部１２は、回線記憶部１３に記憶されている回線番号に対して発信を行い、電子錠の開制御操作があったことを携帯電話器２１に送信する（ステップＳ３４）。
【００２５】
ステップＳ３４において、携帯電話器２１に対しこのような送信を行うのは、使用者とは異なる悪意の第３者が、異なる携帯電話器を使用して本電子錠システムを開錠しようとした可能性があるため、これをいち早く使用者に知らせることで、使用者による迅速な対応を可能とするためである。
また、上記の処理動作でも分かるように、第２の暗証番号は最初から決まっているものではなく、その都度電子錠システム側で乱数をふって決めているので、セキュリティ面においても安全性の高いシステムとなっている。
【００２６】
次に、本発明の電子錠システムにおける第２の処理動作について、図３に示すフローチャートを参照して説明する。この第２の処理動作では、第１の暗証番号および第２の暗証番号の照合だけでなく、電話番号の照合も行うことで、上記第１の処理動作よりもセキュリティの高い処理動作となっている。
【００２７】
［第２の処理動作］
使用者が、電子錠を開けるために、携帯電話器２１から電子錠システムの電話番号を入力して発信を行うと（ステップＳ１）、電子錠システムの回線接続部１１は、この着信に応答して（ステップＳ４１でＹｅｓと判断されると）、携帯電話器２１との間で無線電話回線の接続を行う（ステップＳ４２）。この後、電子錠制御部１２は、受信した携帯電話器２１の電話番号と、回線番号記憶部１３に記憶されている電話番号（９８７−６５４３）とを比較する（ステップＳ４３）。因みに、相手側である携帯電話器２１の電話番号は、電話会社による発信者番号通知サービスの機能を利用することで取得することができる。この比較の結果、両番号が一致する場合（ステップＳ４３でＹｅｓと判断された場合）には、次に、一定時間（例えば、１０秒等）の間、携帯電話器２１からの暗証番号の受信待ちとなる（ステップＳ４４、Ｓ４５）。
【００２８】
携帯電話器２１の使用者は、この回線接続を確認すると（ステップＳ２）、第１の暗証番号を入力して発信を行う（ステップ３）。
一方、電子錠システム側では、回線接続後に携帯電話器２１側から送信されてくる暗証番号を受信すると（ステップＳ４４でＹｅｓと判断されると）、この受信した暗証番号と、第１の暗証番号記憶部１４に記憶されている第１の暗証番号とを比較する（ステップＳ４６）。その結果、両暗証番号が一致する場合（ステップＳ４６でＹｅｓと判断された場合）には、次に、ルール番号選択部１５によって、予め決められた４つのルール番号の中から乱数をふって１つのルール番号を選択し（ステップＳ４７）、その選択したルール番号を携帯電話器２１側に送信する（ステップＳ４８）。また、暗証番号生成部１６では、ルール番号選択部１５で選択されたルール番号に対応する第２の暗証番号を生成する（ステップＳ４９）。
【００２９】
具体的には、ルール番号選択部１５により選択されたルールがルール番号２であったとすると、このルール番号２の情報が携帯電話器２１側に送信される。また、暗証番号生成部１６では、このルール番号２を利用して、上記した如く第２の暗証番号を生成する。すなわち、第１の暗証番号である「１２３４」を用いて、（１＋２＋３＋４）（第１の暗証番号）＝１０１２３４のように６桁の第２の暗証番号を生成し、これを図示しない内部メモリに一時記憶する。この後、一定時間の間、携帯電話器２１からの暗証番号の受信待ちとなる（ステップＳ５０、Ｓ５１）。
【００３０】
携帯電話器２１側では、電子錠システム側から送信されてきたルール番号２を受信して（ステップＳ４）、表示窓に表示する。携帯電話器２１の使用者は、この表示窓に表示されたルール番号２を見て、このルール番号２に対応する第２の暗証番号を入力し、発信を行う（ステップ５）。
一方、電子錠システム側では、携帯電話器２１側から送信されてくる暗証番号を受信すると（ステップＳ５０でＹｅｓと判断されると）、この受信した暗証番号と、内部に記憶した第２の暗証番号（１０１２３４）とを比較する（ステップＳ５２）。その結果、両暗証番号が一致すると（ステップＳ５２でＹｅｓと判断されると）、電子錠制御部１２は図示しない電子錠に対して開制御信号を出力し、電子錠を開くことになる（ステップＳ５３）。
【００３１】
なお、相手側の電話番号と回線番号記憶部１３に記憶している電話番号とが一致しなかった場合（ステップＳ４３でＮｏと判断された場合）、回線接続後、一定時間が経過しても携帯電話器２１側から第１の暗証番号が送信されてこなかった場合（ステップＳ４５でＹｅｓと判断された場合）、受信した暗証番号と第１の暗証番号とが一致しなかった場合（ステップＳ４６でＮｏと判断された場合）、ルール番号を送信後、一定時間が経過しても携帯電話器２１側から第２の暗証番号が送信されてこなかった場合（ステップＳ５１でＹｅｓと判断された場合）、受信した暗証番号と第２の暗証番号とが一致しなかった場合（ステップＳ５２でＮｏと判断された場合）には、いずれも直ちに回線を切断する（ステップＳ５４）。この後、電子錠制御部１２は、回線記憶部１３に記憶されている回線番号に対して発信を行い、電子錠の開制御操作があったことを携帯電話器２１に送信する（ステップＳ５５）。
【００３２】
ステップＳ５５において、携帯電話器２１に対しこのような送信を行うのは、使用者とは異なる悪意の第３者が、異なる携帯電話器を使用して本電子錠システムを開錠しようとした可能性があるため、これをいち早く使用者に知らせることで、使用者による迅速な対応を可能とするためである。
【００３３】
次に、本発明の電子錠システムにおける第３の処理動作について、図４に示すフローチャートを参照して説明する。この第３の処理動作では、第１の暗証番号を受信すると一旦回線を切断し、電子錠システム側から携帯電話器側に再度発信を行って第２の暗証番号の受け渡しを行うことで、よりセキュリティの高い処理動作となっている。
【００３４】
［第３の処理動作］
使用者が、電子錠を開けるために、携帯電話器２１から電子錠システムの電話番号を入力して発信を行うと（ステップＳ１）、電子錠システムの回線接続部１１は、この着信に応答して（ステップＳ６１でＹｅｓと判断されると）、携帯電話器２１との間で無線電話回線の接続を行い（ステップＳ６２）、一定時間（例えば、１０秒等）の間、携帯電話器２１からの暗証番号の受信待ちとなる（ステップＳ６３、Ｓ６４）。
携帯電話器２１の使用者は、この回線接続を確認すると（ステップＳ２）、第１の暗証番号を入力して発信を行う（ステップ３）。
【００３５】
一方、電子錠システム側では、回線接続後に携帯電話器２１側から送信されてくる暗証番号を受信すると（ステップＳ６３でＹｅｓと判断されると）、この時点で回線を一旦切断する（ステップＳ６５）。そして後、この受信した暗証番号と、第１の暗証番号記憶部１４に記憶されている第１の暗証番号とを比較する（ステップＳ６６）。その結果、両暗証番号が一致する場合（ステップＳ６６でＹｅｓと判断された場合）には、次に、ルール番号選択部１５によって、予め決められた４つのルール番号の中から乱数をふって１つのルール番号を選択する（ステップＳ６７）。電子錠制御部１２は、１つのルール番号が選択されると、回線番号記憶部１３に記憶されている電話番号（９８７−６５４３）に対して発信を行い、この発信に対して相手側の携帯電話器２１が応答して回線が接続されると（ステップＳ４−１）、その選択したルール番号を携帯電話器２１側に送信する（ステップＳ６８）。また、暗証番号生成部１６では、ルール番号選択部１５で選択されたルール番号に対応する第２の暗証番号を生成する（ステップＳ６９）。
【００３６】
具体的には、ルール番号選択部１５により選択されたルールがルール番号３であったとすると、このルール番号３の情報が携帯電話器２１側に送信される。また、暗証番号生成部１６では、このルール番号３を利用して、上記した如く第２の暗証番号を生成する。すなわち、第１の暗証番号である「１２３４」を用いて、（第１の暗証番号）（１＋２）（３＋４）＝１２３４３７のように６桁の第２の暗証番号を生成し、これを図示しない内部メモリに一時記憶する。この後、一定時間（回線が再び接続されてから、例えば１０秒等）の間、携帯電話器２１からの暗証番号の受信待ちとなる（ステップＳ７０、Ｓ７１）。
【００３７】
携帯電話器２１側では、電子錠システム側から送信されてきたルール番号３を受信して（ステップＳ４−２）、表示窓に表示する。携帯電話器２１の使用者は、この表示窓に表示されたルール番号３を見て、このルール番号３に対応する第２の暗証番号を入力し、発信を行う（ステップ５）。
一方、電子錠システム側では、携帯電話器２１側から送信されてくる暗証番号を受信すると（ステップＳ７０でＹｅｓと判断されると）、この受信した暗証番号と、内部に記憶した第２の暗証番号（１２３４３７）とを比較する（ステップＳ７２）。その結果、両暗証番号が一致すると（ステップＳ７２でＹｅｓと判断されると）、電子錠制御部１２は図示しない電子錠に対して開制御信号を出力し、電子錠を開くことになる（ステップＳ７３）。
【００３８】
なお、最初の回線接続後、一定時間（１０秒等）が経過しても携帯電話器２１側から第１の暗証番号が送信されてこなかった場合（ステップＳ６４でＹｅｓと判断された場合）、受信した暗証番号と第１の暗証番号とが一致しなかった場合（ステップＳ６６でＮｏと判断された場合）、ルール番号を送信後、一定時間（１０秒等）が経過しても携帯電話器２１側から第２の暗証番号が送信されてこなかった場合（ステップＳ７１でＹｅｓと判断された場合）、受信した暗証番号と第２の暗証番号とが一致しなかった場合（ステップＳ７２でＮｏと判断された場合）には、いずれも直ちに回線を切断する（ステップＳ７４）。この後、電子錠制御部１２は、回線記憶部１３に記憶されている回線番号に対して発信を行い、電子錠の開制御操作があったことを携帯電話器２１に送信する（ステップＳ７５）。
【００３９】
ステップＳ７５において、携帯電話器２１に対しこのような送信を行うのは、使用者とは異なる悪意の第３者が、異なる携帯電話器を使用して本電子錠システムを開錠しようとした可能性があるため、これをいち早く使用者に知らせることで、使用者による迅速な対応を可能とするためである。
【００４０】
また、第３の処理動作では、第１の暗証番号を受信すると一旦回線を切断し、電子錠システム側から携帯電話器側に再度発信を行って第２の暗証番号の受け渡しを行うようにしている。これにより、例えば回線番号記憶部１３に記憶されている電話番号とは異なる電話番号の携帯電話器から本電子錠システムに着信があり、入力された暗証番号が正しい第１の暗証番号であったとしても、本電子錠システムから再度発信する電話番号は最初にかけてきた携帯電話器の電話番号ではないので、最初にかけてきた携帯電話器の使用者は、第２の暗証番号を入力するためのルール番号を知り得ないようになっている。これにより、電子錠としての安全性が高められている。
【００４１】
なお、上記第３の処理動作では、回線を一旦切断し、電子錠システム側から再発信を行うようにしているので、電話番号の照合は省略しているが、セキュリティをより高めるためには、第２の処理動作と同様に電話番号の照合を行ってもよい。
【００４２】
【発明の効果】
本発明の電子錠システムによれば、第１の暗証番号のみならず、第２の暗証番号の入力も要求することで、従来の電子錠システムに比べてより安全性の高いシステムとなっている。また、本発明の電子錠システムによれば、上記に加え、電話番号の照合も行うことで、さらに安全性の高いシステムを実現している。
また、本発明の電子錠システムによれば、第１の暗証番号を照合後、電子錠システム側から回線番号記憶手段に記憶されている回線番号（電話番号）に対して発信を行って、第２の暗証番号を入力するためのルール番号を送信するように構成している。すなわち、第３者が電話番号の異なる携帯電話器から電子錠システムに発信を行い、正しい第１の暗証番号を入力したとしても、第２の暗証番号を入力するためのルール番号が送られてこないので、その第３者が第２の暗証番号を知っていたとしても、電子錠を開けることができないといった、極めて安全性の高い電子錠システムを提供することができる。
【図面の簡単な説明】
【図１】本発明の電子錠システムのシステム構成図である。
【図２】第１の処理動作に対応した携帯電話器および本発明の電子錠システムのフローチャートである。
【図３】第２の処理動作に対応した携帯電話器および本発明の電子錠システムのフローチャートである。
【図４】第３の処理動作に対応した携帯電話器および本発明の電子錠システムのフローチャートである。
【符号の説明】
１１  回線接続部
１２  電子錠制御部
１３  回線番号記憶部
１４  暗証番号記憶部
１５  ルール番号選択部
１６  暗証番号生成部
１７  キー入力部
２１  携帯電話器
【図１】
0003551363.tif 000002
【図２】
0003551363.tif 000003
【図３】
0003551363.tif 000004
【図４】
0003551363.tif 000005